(57)【特許請求の範囲】
【請求項１】
金属フレキシブル管と継手金具との接続による金属フレキシブルホースの継手構造であり、
金属フレキシブル管と、
金属フレキシブル管の外周であって、継手金具との接続端部寄りの外周に配置され金属フレキシブル管の襞谷間で止まるように配設される１個又は複数のＯーリングからなるシール部材と、
継手金具に一体接続されてシール部材を被覆するように金属フレキシブル管に外嵌されて加締められる圧接管部と、
圧接管部の加締め時にシール部材を過度に変形させないように圧接管部の内径側に形成された周状の凹部と、を備えたことを特徴とする金属フレキシブルホースの継手構造。
【請求項２】
圧接管部は、外側からの加締め時に金属フレキシブル管の隣接両襞山間の襞谷部分に嵌合する周状の凸部を含むことを特徴とする請求項１記載の金属フレキシブルホースの継手構造。
【請求項３】
圧接管部と継手金具との連設部分がシール部材の上から加締められる圧接管部に対する外側からの加締め時に内径側に塑性変形する薄肉部で形成されていることを特徴とする請求項１又は２に記載の金属フレキシブルホースの継手構造。
【請求項４】
圧接管部の外側にブレードと、それを加締めるリングが外装され、ブレードと圧接管部とを一緒に加締め固定することを特徴とする請求項１ないし３のいずれかに記載の金属フレキシブルホースの継手構造。
【請求項５】
金属フレキシブル管と継手金具との接続による金属フレキシブルホースの継手構造であり、
金属フレキシブル管と、
金属フレキシブル管の外周であって、継手金具との接続端部寄りの外周に配置され金属フレキシブル管の襞谷間で止まるように配設される１個又は複数のＯーリングからなるシール部材と、
継手金具に一体接続されてシール部材を被覆するように金属フレキシブル管に外嵌されて加締められる圧接管部と、を含み、
該Ｏーリングが止まる襞谷部分の金属フレキシブル管に、同金属フレキシブル管の流路側に連通する圧抜き孔を設けたことを特徴とする金属フレキシブルホースの継手構造。
【請求項６】
金属フレキシブル管と継手金具との接続による金属フレキシブルホースの継手構造であり、
金属フレキシブル管と、
金属フレキシブル管の外周であって、継手金具との接続端部寄りの外周に配置され金属フレキシブル管の襞谷間で止まるように配設される１個又は複数のＯーリングからなるシール部材と、
継手金具に一体接続されてシール部材を被覆するように金属フレキシブル管に外嵌されて加締められる圧接管部と、を含み、
該Ｏーリングが止まる襞谷部分の金属フレキシブル管に、同金属フレキシブル管の流路側に連通する圧抜き溝を設けたことを特徴とする金属フレキシブルホースの継手構造。
【請求項７】
請求項１ないし６のいずれかの金属フレキシブルホースの継手構造に用いられる継手金具。
【発明の詳細な説明】
【技術分野】
【０００１】
本発明は、金属フレキシブルホースの継手構造及びそれに用いられる継手金具に係り、特に、それに用いる金属フレキシブル管と継手金具の接続部分を改良した金属フレキシブルホースの継手構造及びそれに用いられる継手金具に関する。
【背景技術】
【０００２】
液体やガス等の流体の導管として、ステンレス管を波付け加工したものが知られており、変位吸収性が良く、施工しやすい、他の管部材との接続や、管部材どうしの接続を短時間で簡単に行える等の利点により汎用されている。金属フレキシブルホースの接続に際しては、通常、金属製の金具である継手部材を介して他の管部材と連結される。従来、金属フレキシブルホースの継手構造に関し、例えば、特許文献１、２に示すものが提案されている。
【０００３】
【特許文献１】実開平４−８２４８４号
【特許文献２】特開２００５−３２５９３３号
【発明の開示】
【発明が解決しようとする課題】
【０００４】
特許文献１のものでは、金属可撓管の延伸端部の外表面に外装ブレードを被嵌し、金属可撓管と外装ブレードとの間にスリーブを介装し、金属可撓管の延伸端部内にニップルの挿入筒部を貫挿し、外装ブレードの外周面に配設されたソケットを圧縮し、外装ブレード、スリーブおよび金属可撓管をニップルの挿入筒部に圧着結合する金属可撓管の継手部において、ニップルの挿入筒部と金属可撓管との間にシール材を介在させたものが示されている。この特許文献１の金属可撓管の継手部の構造では、ニップルの挿入筒部を金属可撓管の内側に挿入して金属可撓管との重ね合わせ部分としているので、金属可撓管の内径に比較してニップルとしての金具内径が小さくなり、流体を流すときの抵抗が大きくなるという問題があった。また、この文献の継手部構造では、フレキシブルチューブの端部を直状に伸ばした部分の外面にスリーブを外装し、さらに、ブレードおよびソケットを外面から装着させて加締め固定するものであり、シールと加締め固定を機能させるためのスリーブ３が必要であって、部品点数が多く、部品管理が煩雑で、工程も多く、組立作業時間が長くなり、作業効率も劣る問題があった。さらに、この文献１の構造では、ニップルの挿入筒部と金属可撓管との間にシール材５を挟みこんで金属可撓管の外面側から一緒に加締めるため、シール部材に過度な変形が加えられ、シール部材の劣化が早くなるという問題があった。
【０００５】
また、特許文献２のものでは、メタルチューブが挿入される押さえナット３と、メタルチューブ端部とブレイドとの間に差し込まれるベースリング１０とを含み、押さえナット３は端部にテーパ面５を有し、ベースリング１０は端部にテーパ面に対応する傾斜受面を有していて、押さえナット３の接続部品４に対する緊締に伴い、テーパ面と傾斜受面との間においてブレイドを強圧固定可能にしたフレキシブルメタルホースの端末構造が示されている。しかしながら、この特許文献２のフレキシブルメタルホースの端末構造では、メタルチューブの端部の襞と、これに突合せ状に衝合する接続管の壁との間にＯ−リングを保持するために、メタルチューブの端部の襞の切断端形状等によりＯ−リングの変形量が変動し、このため、Ｏーリングの耐久性ひいてはそのシール性にバラツキが生じ安定したシール性の確保がむづかしいという問題があった。また、押さえナット３、ベースリング１０、滑りリング１４、押さえリング１５を必要として、部品点数が多く、コスト高となる。また、文献１と同様に部品管理が煩雑で、組立工程も多く、組作業時間が長いという問題があった。
【０００６】
本発明は、上記従来の課題に鑑みてなされたものであり、その１つの目的は、ホース内の流路抵抗を少なくしつつ、簡単な構成で低コストであり、さらに短時間でフレキシブルメタルホースの継手部の接続作業を行なえる金属フレキシブルホースの継手構造並びにそれに用いられる継手金具を提供することにある。また、本発明の他の目的は、シール部材の安定した変形量を保持して確実なシール機能を長期にわたり維持しうる金属フレキシブルホースの継手構造並びにそれに用いられる継手金具を提供することにある。
【課題を解決するための手段】
【０００７】
上記の目的を達成するために、本発明は、金属フレキシブル管１４と継手金具１６との接続による金属フレキシブルホース１２の継手構造であり、金属フレキシブル管１４と、金属フレキシブル管１４の外周であって、継手金具１６との接続端部寄りの外周に配置され金属フレキシブル管の襞谷３間で止まるように配設される１個又は複数のＯーリング１８１からなるシール部材１８と、継手金具１６に一体接続されてシール部材１８を被覆するように金属フレキシブル管１４に外嵌されて加締められる圧接管部２０と、圧接管部の加締め時にシール部材１８を過度に変形させないように圧接管部２０の内径側に形成された周状の凹部２４１，２４８と、を備えたことを特徴とする金属フレキシブルホースの継手構造から構成される。本発明の継手構造では、金属フレキシブル管の外側に継手金具の一体接続による圧接管部を被嵌させて加締める構成であり、ホース内の流路抵抗を少なくし得る。また、接続のための操作は、シール部材を取り付けた金属フレキシブル管を圧接管路の内径側に挿入し、外部加締めするだけであり、短時間で行える。ブレードを金属フレキシブル管の外面側に装着させてもよい。その際、ブレードの端部を固定金具による加締め、溶接その他の方法により継手金具に固定させるとよい。シール部材は、弾性シール部材が良く、その中でも耐久性が高く、劣化の少ないゴム部材を用いると良い。ただし、ゴム部材以外の弾性体を用いるようにしても良い。シール部材１８は、金属フレキシブル管１４の襞谷３間で止まるように配設される１個又は複数のＯーリング１８１からなるようにすることにより、金属フレキシブル管の襞谷の入口部分等に嵌合して位置決めを確実に行い、止まることができる。また、圧接管部２０の内径側は、圧接管部の加締め時にシール部材１８を過度に変形させないように周状の凹部２４１が形成されていることにより、ゴム部材等のシール部材を保護し、耐久性を保持させることができる。
【０００８】
その際、圧接管部２０は、外側からの加締め時に金属フレキシブル管１４の隣接両襞山２間の襞谷３部分に嵌合する周状の凸部２４２を含むとよく、圧接管部の加締め時の位置を確実に設定し、さらに、加締め力を安定して受けて加締め量の管理に資する。また凸部２４２は、金属フレキシブル管１４が抜け出ることを防止する引掛りの機能を果たす。
【０００９】
さらに、圧接管部２０と継手金具１６との連設部分がシール部材の上から加締められる圧接管部に対する外側からの加締め時に内径側に塑性変形する薄肉部２６で形成されているとよい。
【００１０】
また、圧接管部２０の外側にブレード３０と、それを加締めるリング３２が外装され、ブレード３０と圧接管部２０とを一緒に加締め固定するとよい。
【００１１】
また、本発明は、金属フレキシブル管１４と継手金具１６との接続による金属フレキシブルホース１２の継手構造であり、金属フレキシブル管１４と、金属フレキシブル管１４の外周であって、継手金具１６との接続端部寄りの外周に配置され金属フレキシブル管の襞谷３間で止まるように配設される１個又は複数のＯーリング１８１からなるシール部材１８と、継手金具１６に一体接続されてシール部材１８を被覆するように金属フレキシブル管１４に外嵌されて加締められる圧接管部２０と、を含み、該Ｏーリング１８１が止まる襞谷３部分の金属フレキシブル管１４に、同金属フレキシブル管の流路Ｐ側に連通する圧抜き孔２８を設けた金属フレキシブルホースの継手構造から構成される。
【００１２】
また、本発明は、金属フレキシブル管１４と継手金具１６との接続による金属フレキシブルホース１２の継手構造であり、金属フレキシブル管１４と、金属フレキシブル管１４の外周であって、継手金具１６との接続端部寄りの外周に配置され金属フレキシブル管の襞谷３間で止まるように配設される１個又は複数のＯーリング１８１からなるシール部材１８と、継手金具１６に一体接続されてシール部材１８を被覆するように金属フレキシブル管１４に外嵌されて加締められる圧接管部２０と、を含み、該Ｏーリング１８１が止まる襞谷３部分の金属フレキシブル管１４に、同金属フレキシブル管の流路Ｐ側に連通する圧抜き溝２９を設けた金属フレキシブルホースの継手構造から構成される。
【００１３】
また、本発明は、上記のいずれかの金属フレキシブルホースの継手構造に用いられる継手金具から構成される。
【発明の効果】
【００１４】
本発明の金属フレキシブルホースの継手構造によれば、金属フレキシブル管と継手金具との接続による金属フレキシブルホースの継手構造であり、金属フレキシブル管と、該金属フレキシブル管であって、継手金具との接続端部寄りの外周に配置されるシール部材と、継手金具に一体接続されてシール部材を被覆するように金属フレキシブル管に被嵌される圧接管部と、を含み圧接管部を外側から加締めてシール部材を介して圧接管部と金属フレキシブル管とのシールを行うようにした構成であるから、構成が極めて簡単で、しかも金属フレキシブル管とシール部材と、継手金具のみでよく、部品点数が極めて少なくて済み、低コストの継手構造を実現しうる。同時に、金属フレキシブル管の外側に継手金具の一体接続による圧接管部を被嵌させて加締める結果、金属フレキシブル管の内径側を狭めて流路抵抗を大きくすることなく、金属フレキシブルホースを継手接続させることができる。さらに、接続のための作業を、短時間で行える。
【００１５】
また、シール部材は、圧接管部の加締め時に金属フレキシブル管の襞谷間で止まるように配設される１個又は複数のＯーリングからなる構成であるから、Ｏーリング等のシール部材の位置決めを確実に行い、過変形を確実に防止して耐久性の維持に資する。
【００１６】
また、圧接管部の内径側は、圧接管部の加締め時にシール部材を過度に変形させないように周状の凹部が形成されている構成とすることにより、シール部材の安定した変形量を保持して確実なシール機能を長期にわたり維持しうる。
【００１７】
また、圧接管部は、外側からの加締め時に金属フレキシブル管の隣接両襞山間の襞谷部分に嵌合する周状の凸部が形成されている構成であるから、圧接管部の金属フレキシブル管への当り位置を一定に保持し、当り位置決めを確実に行う結果、シール部材の金属フレキシブル管への位置決め及び加締め量の管理を確実に行える。さらに、凸部２４２が谷部へ入り込むことで金属フレキシブル管の継手金具からの抜け防止に有効な引掛りとなり、小さな加締め力で金属フレキシブル管の抜けを防止できる。また、内圧が加わると金属フレキシブル管１４には外側へ膨らもうとする力が働くので金属フレキシブル管がこの引掛りを抜け出すことが困難となり、耐圧性能を確実に維持し続けることができる。
【００１８】
圧接管部と継手金具との連設部分が外側からの加締め時に内径側に塑性変形する薄肉部を含む構成であるから、継手金具に一体接続の圧接管部の加締め時の圧接による加締め状態を確実に維持し、かつ、その構成を簡単なものとするための実効を保持し得る。
【００１９】
また、圧接管部の外側にブレードと、それを加締めるリングが外装され、ブレードと圧接金具とを一緒に加締め固定する構成とすることにより、ブレード付の金属フレキシブルホースについての簡単構成、部品点数の低減、低コスト化、流路抵抗への影響をなくし、接続作業時間の短縮を実現し得る。
【００２０】
また、金属フレキシブル管であって、Ｏーリングが止まる襞谷部分に圧抜き孔を設けた構成とすることにより、金属フレキシブル管の流路側から大きな圧力（内圧）が加わった時、Ｏ−リングが襞谷底側へ押し付けられて沈み込むことによるシール性の低下を防止することができる。
【００２１】
また、金属フレキシブル管であって、Ｏーリングが止まる襞谷部分に金属フレキシブル管の流路側に連通する圧抜き溝を形成した構成とすることにより、金属フレキシブル管の流路側から大きな圧力（内圧）が加わった時、Ｏ−リングが襞谷底側へ押し付けられて沈み込むことによるシール性の低下を防止することができる。
【００２２】
また、請求項１ないし６のいずれかの継手構造に用いられる継手金具は、上記した効果を奏する継手構造を実現しうる。
【発明を実施するための最良の形態】
【００２３】
以下、添付図面を参照しつつ本発明を実施するための最良の形態について説明する。図１ないし図４は、本発明の第１の実施形態に係る金属フレキシブルホースの継手構造を示す。図１において、金属フレキシブルホース１２は、金属フレキシブル管１４を含み、少なくともこの金属フレキシブル管１４と継手金具１６との接続により金属フレキシブルホース１２の継手構造１０が得られる。
【００２４】
本実施形態において、金属フレキシブルホースの継手構造１０は、金属フレキシブル管１４と、金属フレキシブル管の外周に配置されるシール部材１８と、継手金具１６に一体接続されてシール部材１８を被覆するように金属フレキシブル管に被嵌される圧接管部２０と、を含む。
【００２５】
本実施形態において、金属フレキシブル管１４は、薄肉の例えばステンレス管を波付け加工し、山部２と谷部３とを交互に連続してくりかえした襞を形成する金属製コルゲイト管からなる。金属フレキシブル管１４の内部の中空部は、例えば水、その他の液体、ガス等の流体が通流する流路Ｐを形成する。金属フレキシブル管１４の内部の流路Ｐと外部とは水密又は気密遮断され、内部を通流する流体は外部に漏れないようになっている。金属フレキシブル管１４は、伸縮、可撓性を含む変位吸収性を有し、さらに、温度膨張や振動を吸収し、かつ耐久性を有する流体輸送管として機能する。
【００２６】
図１において、左側の金属フレキシブル管１４の端部にシール部材１８を外装し、それを右側の継手金具１６の圧接管部２０の内径部分に挿入し、圧接管部２０の外部から加締めることによりフレキシブルホースと継手金具が継手連結される。
【００２７】
本実施形態において、継手金具１６は、本体２２の中間に周状の工具当面２２１を有し一端に金属フレキシブル管１４を被嵌させる圧接管部２０を有するとともに、他端に雄ねじ部２２２を備えた直軸を有する変形ニップル管部材からなる。
【００２８】
圧接管部２０は、継手金具１６の本体２２に一体的に接続されて金属フレキシブル管側に延在する管部であり、該圧接管部２０の内径側に金属フレキシブル管が嵌挿される。すなわち、この圧接管部２０は、継手金具に一体接続されて後述するシール部材１８を被覆するように金属フレキシブル管１４に被嵌される固定手段であり、本実施形態では、同時にその際、金属フレシキブル管と継手金具間のシールも行う。この圧接管部２０は、内側に金属フレキシブル管１４を受け入れた後にその外面からの加締め加圧により金属フレキシブル管１４と継手金具１６とを直接に連結する部位であり、それらの連結については、固定用のリング等の部品を必要としない。
【００２９】
図２において、圧接管部２０は、加締め部２４と、薄肉部２６と、を含む。薄肉部２６は、継手金具１６の本体２２と圧接管部２０とを一体連設させたそれらの直接の連結部分に設けられ、加絞め部２４を外部から加圧した場合に塑性変形して継手金具１６と金属フレキシブル管１４とを連結固定させる部位であり、外部からの加圧による塑性変形時に図４に示すように延長側を内径側に曲げられて金属フレキシブル管の外面への圧接状態を維持する。この薄肉部２６は、例えば肉厚が１ミリメートル程度であり、本体２２から管の軸方向に直管状に伸びている。そして、その先端部から段付状に拡大して加締め部２４が接続されている。
【００３０】
図１、図２において、圧接管部２０は、その内径側にそれぞれ周状に形成される凹部２４１と、凸部２４２と、を含む。本実施形態において、凹部２４１は、圧接管部２０の加締め時にシール部材１８を過度に変形させないようにシール部材を収納させる部位であり、本実施形態では、断面視で圧接管部２０の長手方向（金属フレキシブル管の長手方向）について、略円弧状に形成され、シール部材１８を受けて保持する保持部２４１ａを有している。該凹部２４１の形状は、特に限定するものではないが、好ましくは、図２，４のように、凹設して形成される凹山が対称な傾斜勾配を成すように両傾斜面が等しい角度Φ１（図２）で設けられると良い。凹部２４１の圧接管部基端側は、薄肉部２６の下面側と接続するように管軸方向に面する押さえ壁２３４が形成されており、金属フレキシブル管１４が圧接管部の内径側に挿入されて最端部の山部２Ａが当って係止される。
【００３１】
また、本実施形態において、この凹部２４１に隣接し、かつ連続して凸部２４２が形成されている。凸部２４２は、加締め部２４の外側からの加締め時に金属フレキシブル管１４の隣接両襞山２間の襞谷３部分に嵌合する部位であり、本実施形態において、例えば凹部２４１を成す壁面の内向き突出側２４１ｂが同時に凸部２４２を形成し、さらにこの凸部２４２は約１３０度程度の内向き山部を形成するように緩やかな凸部として形成されている。したがって、図４に示すように、加締め部２４の外側から加締め圧接すると、凸部２４２の両斜線２４２ａが略等しいバランスで襞谷３の入口部分に当接する。該凸部２４２の形状は、特に限定するものではないが、好ましくは、図２，４のように、凸設して形成される山が対称な傾斜勾配を成すように両傾斜面が等しい角度Φ２（図２）で設けられると良い。
【００３２】
さらに、図１ないし図４において、圧接管部２０の内側であって金属フレキシブル管１４の外周に嵌合するようにシール部材１８が設けられている。シール部材１８は、金属フレキシブル管１４と継手金具１６との気密を保持して接続させる気密（水密を含む）連結手段であり、形状、材質は特に限定されないが、本実施形態では、ニトリルゴムその他の弾性部材からなる断面円形のＯーリング（オーリング）１８１が用いられている。実施形態では、Ｏーリング１８１は、継手金具１６と金属フレキシブル管１４の接続端部寄りの外周、詳しくは、最端部の山部２Ａとその隣の第二端山部２Ｂとの間の襞谷３Ａ（最端部襞谷）の入口部分に等しい力で軽く当るように取り付けられ、図４のように、加締め部２４の加締め後には、凹部２４１の保持部２４１ａと襞谷３Ａの両入口部分に同等の力で少し潰れた状態で密着し、金属フレキシブル管１４と継手金具１６との気密を保持させる。したがって、両者の気密接続については、Ｏーリングを装着した金属フレキシブル管１４を圧接管部２０の内径部分に挿入し、圧接管部の外面側から圧接させるだけでよく、他の加締め力を受けて固定する金具等を必要とせず低コスト、短時間接続を実現できる。
【００３３】
特に、シール部材としてのＯーリング１８１は、圧接管部２０の加締め時に金属フレキシブル管１４の襞谷３Ａ間で止まるように配設され、金属フレキシブル管１４と継手金具１６との気密を確実に保持させる。すなわち、この実施形態は、Ｏーリング１８１は、谷部３Ａに対応して１個のみ配置されているが、隣接する谷部３に２個あるいはそれ以上を並べて配置し、それらを収容させるような大きな凹部２４１構成として実施しても良い。この場合にも、前述したように、その凹部２４１は、圧接管部２０の加締め時にシール部材１８を過度に変形させないような大きさに設定される。
【００３４】
さらに、図２，４に示すように、金属フレキシブル管のＯーリング１８１が止まる谷部３には圧抜き孔（圧抜き通路）２８が穿孔されている。圧抜き孔２８は、金属フレキシブル管の流路側から大きな圧力（内圧）が加わった時、Ｏ−リングが襞谷底側へ押し付けられて沈み込むことによるシール性の低下を防止することができる。
【００３５】
なお、上記の圧抜き孔２８の代わりに、図５、図６に示すように、Ｏーリング１８１が止まる襞谷３Ａ部分に金属フレキシブル管１４の流路Ｐ側に連通する圧抜き溝（圧抜き通路）２９を形成してもよい。
【００３６】
本実施形態の金属製フレキシブルホースの継手構造を得るためには、まず金属フレキシブル管１４の最端部の山部２Ａとその隣の第二端山部２Ｂとの間の襞谷３Ａの入口部分にＯーリング１８１を取り付ける。その際、Ｏーリング１８１は、襞谷３Ａの入口部分に等しい力で軽く当るように取り付けられる。そして、金属フレキシブル管１４の端部側を圧接管部２０の内径孔内に挿入し同金属フレキシブル管１４の先端が押さえ壁２３４に当てて係止させる（図２参照）。次に、加締め部２４の外面から、加締め工具により周方向から圧接し加締める。このとき、図４に示すように、圧接管部２０の薄肉部２６がその内径中心側に屈曲状に塑性変形する。そして、圧接管部２０は、図３に示すように金属フレキシブル管の外面に圧接されて密着した状態で外装固定され、金属フレキシブル管１４の内径側流路Ｐを変形させず、該流路を狭めることなく流路抵抗への影響も生じさせないようにし得る。これによって、圧接管部の凹部の保持部２４１ａに保持されて管の内径側に押圧されたＯーリング１８１は、過度の変形を受けることなく、やや潰されて断面がわずかに縦長楕円状に変形し、その結果、該Ｏーリング１８１は上部を継手金具の圧接管部内径壁に密接するとともに、両側やや下部位置において、襞谷３Ａの入口部分に当たった状態でやや潰されて保持される。このように、金属フレキシブル管の襞谷両入口部分と上部の継手金具（圧接管部の内径部）とにより３方向からＯーリングは拘束されてしかも凹部２４１内に収容された状態であり、かつ、圧接管部２０の凸部２４２が襞谷の凹陥部分に嵌合して圧接管部（継手金具）が金属フレキシブル管の外面に当着する位置関係が必然的に決まり、これによって、Ｏーリングの継手金具に対する位置決めとそれに伴うＯーリングの初期変形量の適正管理が容易となる。これによって、金属フレキシブル管１４の流路Ｐ側から経路Ｔによる外気へのルートが完全に遮断され、シールされる。加締め部２４の圧接時には、その凸部２４２がほぼ等しい力で最端部から第２と第３の山部間の谷部３の入口部分に当り、当り位置を決めた状態で圧接力を確実に受け止めて、適度の加締め力でＯーリング１８１を押し潰してシールを確保する。
【００３７】
なお、上記の実施形態の圧接管部２０の内側の凹部２４１は、圧接管部の加締め時にシール部材１８を過度に変形させないようにするものであり、したがって、その具体的な凹部形状は任意としてよい。例えば、図７は、上記の実施形態のように断面円弧形状の凹部ではなく、管軸方向に直状の凹部２４８として構成したものであり、直状保持部２４８ａにシール部材を保持させる。軸方向に直状の円弧面でシール部材を押え保持しつつこれによっても上記同様の作用効果を奏し得る。また、その他の任意の凹部構成としてもよい。
【００３８】
次に、本発明の第２の実施形態について、図８、図９により説明する。この第２実施形態の金属製フレキシブルホースの継手構造は、第１実施形態の構造に加え、金属製フレキシブル管１４の外面にブレード３０を外装させ、圧接管部の外面に被着された部分のブレードの外面にさらに固定リング３２を外装させ、その状態で該固定リング３２を外面から圧接して一緒に加締め込むようにした構成であり、ブレード３０と固定リング３２を設ける点以外は第１実施形態の構成と同一である。
【００３９】
この第２実施形態の金属フレキシブルホースの継手構造１０ｂにおいては、金属ブレード３０により、金属製フレキシブル管１４を保護し、強度を補強することができ、ホース全体の耐久性を高いものとし得る。ブレード３０は、例えばテープ状のステンレス板からなるブレード単位や、ワイヤ素線を並べたブレード単位を編成して中空筒状に連結したものから形成されている。内側の金属製フレキシブル管の伸縮性、変形性を保持しつつ内部から圧力が加わったような場合にその凹凸部分が延びてしまうのを保護し得る。そして、圧接管部の外面にブレードを被着させたさらにその外面に固定リング３２を挿嵌させ、外面から加締めて全体を固定させるものである。加締める際には、圧接管部の薄肉部２６が屈曲して塑性変形し、Ｏーリング１８１を押し付けてシール状態を保持する。この第２実施形態の金属フレキシブルホースの継手構造１０ｂにおいては、ブレード３０により強度の高い金属フレキシブルホースを用いているから、ほぼどのような流体搬送の適用箇所についても、実用し得る。
【００４０】
図１０、図１１は、上記の第２実施形態の構成において、継手金具１６の金属フレキシブル管接続との他端側（圧接管部２０と反対側の継手金具部分）に袋ナット３４をねじ込み接続した例を示すものであり、継手金具１６の金属フレキシブル管接続との他端側は、任意の構成の継手金具を適用し得る。図１０、図１１では、継手金具は適用場所により、このままの状態で使用してもよいし、また、必要に応じて袋ナットの代わりに他の管部材を接続しても適用し得る。
【００４１】
さらに、図１２、図１３は、第２実施形態での圧接管部の凹部２４１の構造が断面円弧タイプではなく、断面管軸方向に直状の凹部２４８ａとして構成したものであり、図７の場合と同様に、直状保持部２４８ａにシール部材を保持させる。軸方向に直状の円弧面でシール部材を押え保持しつつこれによっても上記同様の作用効果を奏し得る。また、その他の任意の凹部構成としてもよい。
【００４２】
以上説明した本発明の金属フレキシブルホースの継手構造及びそれに用いられる継手金具は、上記した実施形態のみに限定されるものではなく、特許請求の範囲に記載した発明の本質を逸脱しない範囲において、任意の改変を行ってもよい。
【産業上の利用可能性】
【００４３】
本発明の金属フレキシブルホースの継手構造及びそれに用いられる継手金具は、金属フレキシブルホースを用いたガス、その他の気体、液体等の配管用の管継手部の継手構造、あるいはその継手金具として広く適用し得る。
【図面の簡単な説明】
【００４４】
【図１】本発明の第１実施形態に係る金属フレキシブルホースの継手構造の一部断面説明図である。
【図２】図１の要部拡大一部断面説明図である。
【図３】図１の金属フレキシブルホースの継手構造の作用説明図である。
【図４】図３の金属フレキシブルホースの継手構造の作用説明図である。
【図５】圧抜き通路の他の構成を示す要部拡大断面説明図である。
【図６】図５の圧抜き通路を襞山を下に見下ろす方向に見た一部拡大説明図である。
【図７】図１の継手構造の圧接管部の凹部の他の構成を示す説明図である。
【図８】本発明の第２の実施形態に係る金属フレキシブルホースの継手構造の一部断面説明図である。
【図９】図８の金属フレキシブルホースの継手構造の作用説明図である。
【図１０】図８の金属フレキシブルホースの継手構造における継手金具を別のタイプのものとした例を示す図である。
【図１１】図１０の金属フレキシブルホースの継手構造の作用説明図である。
【図１２】第２実施形態での圧接管部の凹部を他の構成とした例を示す金属フレキシブルホースの継手構造の一部断面説明図である。
【図１３】図１２の金属フレキシブルホースの継手構造の作用説明図である。
【符号の説明】
【００４５】
２  山部
２Ａ  最端部の山部
２Ｂ  第二端山部
３  谷部
３Ａ  最端部襞谷
１０ａ、１０ｂ、１０ｃ、１０ｄ  金属製フレキシブルホースの継手構造
１２  金属フレキシブルホース
１４  金属フレキシブル管  
１６  継手金具
１８  シール部材
２０  圧接管部
２４  加締め部
２６  薄肉部
２８  圧抜き孔
２９  圧抜き溝
３０  ブレード
３２  固定リング
１８１  Ｏーリング
２４１  凹部
２４２  凸部
Ｐ  流路
【図１】
0004840689.tif 000002
【図２】
0004840689.tif 000003
【図３】
0004840689.tif 000004
【図４】
0004840689.tif 000005
【図５】
0004840689.tif 000006
【図６】
0004840689.tif 000007
【図７】
0004840689.tif 000008
【図８】
0004840689.tif 000009
【図９】
0004840689.tif 000010
【図１０】
0004840689.tif 000011
【図１１】
0004840689.tif 000012
【図１２】
0004840689.tif 000013
【図１３】
0004840689.tif 000014